(57)【要約】      （修正有）【課題】迅速に、自動で背中を洗うことができる背中洗い器を提供する。【解決手段】プラスチックなどからなる板に、戸車または車輪と、戸車または車輪が転がるためのレールまたは箱形レールを設置する。板を往復運動させる棒は、モーターに回動自在に連結し、クランク運動をする。【選択図】図１
0003154791.tif 000002
【実用新案登録請求の範囲】
【請求項１】
モーターを設置した背中洗い器。
【請求項２】
連動する棒（図中の２と１１）を設置した、請求項１記載の背中洗い器。
【請求項３】
戸車とそのレールまたは箱形レールを設置した、請求項１記載の背中洗い器。
【請求項４】
倒れるのを防ぐための補助輪、およびそのレールまたは箱形レールを設置した、請求項３記載の背中洗い器。
【請求項５】
偏心軸（図中の５と１０）を設置した、請求項１記載の背中洗い器。
【請求項６】
圧縮スポンジを設置した、請求項１記載の背中洗い器。
【請求項７】
プラスチックの板、あるいは、樹脂などの材料でできた板（図中の１と６）を設置した、請求項１記載の背中洗い器。
【請求項８】
プラスチックの板、あるいは、樹脂などの材料でできた板が、モーターによって動く、請求項７記載の背中洗い器。
【考案の詳細な説明】
【技術分野】
【０００１】  本考案は、背中を洗う器具に関するものである。
【背景技術】
【０００２】  現在、自動で背中を洗う器具は存在しない。
【考案の開示】
【考案が解決しようとする課題】
【０００３】  入浴時に背中を洗う場合、手をうしろにまわして洗わなくてはならないので、非常に骨が折れ、手がだるくなってしまう。それにもかかわらず、背中全体を洗うことができない。【０００４】  本考案の自動背中洗い器によって、自動で背中を洗うことができる。これがあれば、苦労して手で背中を洗う必要がなくなる。
【課題を解決するための手段】
【０００５】  本考案は、圧縮スポンジ（特製の大きな垢すりタオルをかぶせてもよい）をプラスチックの板（あるいは、樹脂などの材料でできた板）に固定してから、その板を垂直に立てたものである。モーターが作動すると、箱形レールまたはレールに沿って、プラスチックの板（あるいは、樹脂などの材料でできた板）が往復運動をする。背中を圧縮スポンジ（あるいは、圧縮スポンジにかぶせた垢すりタオル）にあてると、その板と共に、圧縮スポンジが（圧縮スポンジにかぶせた垢すりタオルと一緒に）往復運動をする。圧縮スポンジ（または垢すりタオル）が往復して背中をこすることにより、背中を洗うことができる。
【考案の効果】
【０００６】  本考案の背中洗い器によって、自動で背中を洗うことができる。これがあれば、苦労して手で背中を洗う必要はなくなる。【０００７】  本考案の自動背中洗い器は、迅速に、隅から隅まで背中を洗うことができる。
【考案を実施するための最良の形態】
【０００８】  実施例１では、プラスチックの板（あるいは、樹脂などの材料でできた板）の上端と下端に、戸車を設置する。この戸車は、自動ドアに使用されているものと同じである。【０００９】  プラスチックの板（あるいは、樹脂などの材料でできた板）の上方と下方に、上記の戸車が転がるためのレールまたは箱形レールを設置する。このレールまたは箱形レールは、自動ドアに使用されているものと同じである。このレールまたは箱形レールに沿って、戸車を転がすことができる。【００１０】  モーターが作動すると、プラスチックの板（あるいは、樹脂などの材料でできた板）が、レールまたは箱形レールに沿って往復運動をする。【００１１】  必要に応じて、回転を遅くする装置を設置する。【００１２】  圧縮スポンジを、プラスチックの板（あるいは、樹脂などの材料でできた板）に固定する。圧縮スポンジに、特製の大きな垢すりタオルをかぶせてもよい。【００１３】  実施例２では、まず、プラスチックの板（あるいは、樹脂などの材料でできた板）の裏側に、上下対称になるように、電車の車輪と同じ、または似た形状の２列の車輪を設置する。また、その車輪が転がるための鋼（または鉄）のレールを２本設置する。その形状は、電車のレールと同じか、似たものである。この鋼（または鉄）のレールに沿って、車輪を、転がすことができる。【００１４】  さらに、プラスチックの板（あるいは、樹脂などの材料でできた板）の裏側、あるいは上端と下端に、板が倒れるのを防ぐための補助輪を設置する。補助輪用のレール（または箱形レール）も設置する。そのレール（または箱形レール）に沿って、補助輪を転がすことができる。【００１５】  モーターが作動すると、プラスチックの板（あるいは、樹脂などの材料でできた板）が、レールに沿って往復運動をする。【００１６】  必要に応じて、回転を遅くする装置を設置する。【００１７】  プラスチックの板（あるいは、樹脂などの材料でできた板）に、圧縮スポンジを設置する。
【実施例１】
【００１８】  図１に沿って説明する。１はプラスチックの板（あるいは、樹脂などの材料でできた板）である。２は連動する棒である。３はモーターの回転軸である。４は回転盤である。５は偏心軸である。プラスチックの板（あるいは、樹脂などの材料でできた板）１の上端と下端に、戸車を設置する。この戸車は、自動ドアに使用されているものと同じである。また、プラスチックの板（あるいは、樹脂などの材料でできた板）１の上方と下方に、戸車を転がすためのレールまたは箱形レールを設置する。このレールまたは箱形レールは、自動ドアに使用されているものと同じである。このレールまたは箱形レールに沿って、戸車を転がすことができる。モーターが作動すると、連動する棒２で連結された、プラスチックの板（あるいは、樹脂などの材料でできた板）１が、レールまたは箱形レールに沿って往復運動をする。【００１９】  状況に応じて、回転を遅くする装置を設置する。【００２０】  圧縮スポンジ（特製の大きな垢すりタオルをかぶせてもよい）を、プラスチックの板（あるいは、樹脂などの材料でできた板）１に固定する。
【実施例２】
【００２１】図２と図３に沿って説明する。６はプラスチックの板（あるいは、樹脂などの材料でできた板）である。７は鋼（または鉄）のレールである。８はモーターの回転軸である。１０は偏心軸である。１１は連動する棒である。１２は電車の車輪と同じ、または似た形状の車輪である。プラスチックの板（あるいは、樹脂などの材料でできた板）６の裏側に、上下対称になるように、２列の車輪１２を設置する。その形状は、電車の車輪と同じか、似たものである。また、プラスチックの板（あるいは、樹脂などの材料でできた板）６の裏側に、車輪を転がすための鋼（または鉄）のレール７を２本設置する。その形状は、電車のレールと同じか、似たものである。鋼（または鉄）のレール７に沿って、車輪を転がすことができる。【００２２】  また、プラスチックの板（あるいは、樹脂などの材料でできた板）６の裏側、あるいは上端と下端に、プラスチックの板（あるいは、樹脂などの材料でできた板）６が倒れるのを防ぐための補助輪を設置する。補助輪用のレールまたは箱形レールも設置する。そのレールまたは箱形レールに沿って、補助輪を転がすことができる。【００２３】  モーターが作動すると、連動する棒１１で連結された、プラスチックの板（あるいは、樹脂などの材料でできた板）６が、鋼（または鉄）のレール７に沿って往復運動をする。【００２４】必要に応じて、回転を遅くする装置を設置する。【００２５】プラスチックの板（あるいは、樹脂などの材料でできた板）６に、圧縮スポンジを固定する。圧縮スポンジに、特製の大きな垢すりタオルをかぶせてもよい。
【図面の簡単な説明】
【００２６】
【図１】本考案の実施例１における、自動背中洗い器の作動原理図
【図２】本考案の実施例２における、自動背中洗い器の作動原理図
【図３】電車の車輪と同じ、または似た形状の車輪
【符号の説明】
【００２７】１  プラスチックの板（あるいは、樹脂などの材料でできた板）
２  連動する棒
３  モーターの回転軸
４  回転盤
５  偏心軸
６  プラスチックの板（あるいは、樹脂などの材料でできた板）
７  鋼（または鉄）のレール
８  モーターの回転軸
９  回転盤
１０  偏心軸
１１  連動する棒
１２  電車の車輪と同じ、または似た形状の車輪
【図１】
0003154791.tif 000003
【図２】
0003154791.tif 000004
【図３】
0003154791.tif 000005
【手続補正書】
【提出日】平成21年4月24日(2009.4.24)
【手続補正１】
【補正対象書類名】実用新案登録請求の範囲
【補正対象項目名】全文
【補正方法】変更
【補正の内容】
【実用新案登録請求の範囲】
【請求項１】
モーター、偏心軸、連動する棒、プラスチックの板あるいは樹脂などの材料でできた板、戸車または車輪、レールまたは箱形レールなどから成る背中洗い器。
【請求項２】
モーターとプラスチックの板あるいは樹脂などの材料でできた板が連動する棒で連結された、請求項１記載の背中洗い器。
【請求項３】
プラスチックの板あるいは樹脂などの材料でできた板の上端と下端に戸車を設置した、プラスチックの板あるいは樹脂などの材料でできた板の上方と下方に戸車を転がすためのレールまたは箱形レールを設置した、請求項１記載の背中洗い器。
【請求項４】
プラスチックの板あるいは樹脂などの材料でできた板の裏側に上下対称になるように２列の車輪を設置した、その車輪が転がるためのレールを２本設置した、請求項１記載の背中洗い器。
【請求項５】
プラスチックの板あるいは樹脂などの材料でできた板の裏側あるいは上端と下端に、板が倒れるのを防ぐための補助輪を設置した、補助輪用のレールまたは箱形レールも設置した、請求項１記載の背中洗い器。
【請求項６】
プラスチックの板あるいは樹脂などの材料でできた板に圧縮スポンジを設置した、請求項１記載の背中洗い器。
【手続補正書】
【提出日】平成21年7月24日(2009.7.24)
【手続補正１】
【補正対象書類名】実用新案登録請求の範囲
【補正対象項目名】全文
【補正方法】変更
【補正の内容】
【実用新案登録請求の範囲】
【請求項１】
プラスチックの板あるいは樹脂などの材料でできた板に戸車または車輪を設置し、その戸車または車輪が転がるためのレールまたは箱形レールを設置し、プラスチックの板あるいは樹脂などの材料でできた板を往復運動させる連動する棒はモーターに回動自在に連結されてモーターによってクランク運動をする背中洗い器。
【請求項２】
プラスチックの板あるいは樹脂などの材料でできた板の上端と下端に戸車を設置し、プラスチックの板あるいは樹脂などの材料でできた板の上方と下方に戸車を転がすためのレールまたは箱形レールを設置した、請求項１記載の背中洗い器。
【請求項３】
プラスチックの板あるいは樹脂などの材料でできた板の裏側に上下対称になるように２列の車輪を設置し、その車輪が転がるためのレールを２本設置した、請求項１記載の背中洗い器。
【請求項４】
プラスチックの板あるいは樹脂などの材料でできた板の裏側あるいは上端と下端に、板が倒れるのを防ぐための補助輪を設置し、補助輪用のレールまたは箱形レールも設置した、請求項１記載の背中洗い器。
【請求項５】
プラスチックの板あるいは樹脂などの材料でできた板に圧縮スポンジを設置した、請求項１記載の背中洗い器。